(57)【要約】【課題】    厚みのあるシートも保持できるホルダーを提供することを目的とする。【解決手段】    第１平板１と第２平板２とよりなり、両平板のうちの少なくとも第１平板１は透明または半透明であり、第１平板１には第１磁石３、第２平板２には第２磁石４をそれぞれ取り付け、前記第１磁石３と第２磁石４は、それぞれ第１平板１と第２平板２の周縁部に複数対同軸上に設け、前記第１磁石３は第１平板１に固定し、前記第２磁石４は第２平板２に設けた雌ねじ穴５に螺合されて、軸方向へ移動可能な磁石ねじとなっていることを特徴とするホルダー。【選択図】  図２
2010125655.tif 000002
【特許請求の範囲】
【請求項１】
第１平板と第２平板とよりなり、両平板のうちの少なくとも第１平板は透明または半透明であり、第１平板には第１磁石、第２平板には第２磁石をそれぞれ取り付け、前記第１磁石と第２磁石は、それぞれ第１平板と第２平板の周縁部に複数対同軸上に設け、前記第１磁石は、第１平板に固定し、前記第２磁石は第２平板に設けた雌ねじ穴に螺合されて、軸方向へ移動可能な磁石ねじとなっていることを特徴とするホルダー。
【請求項２】
第１平板と第２平板とよりなり、両平板のうちの少なくとも第１平板は透明または半透明であり、第１平板には第１磁石、第２平板には第２磁石をそれぞれ取り付け、前記第１磁石と第２磁石は、それぞれ第１平板と第２平板の周縁部に複数対同軸上に設け、前記第１磁石は、第１平板に固定し、前記第２磁石は、第２平板に設けた穴に挿通され、その先端部において第１磁石に常時吸着状態に保持された頭部を設けた磁石棒であり、前記第２平板と前記頭部との間に介装したばね部材によって第２平板を第１平板側へばね付勢される構成としたことを特徴とするホルダー。
【請求項３】
少なくとも１つの第２磁石は、他の第２磁石より長くして、第１、第２平板を斜めに立ち上げた姿勢に保持する支持脚としたことを特徴とする請求項１または２に記載のホルダー。
【発明の詳細な説明】
【技術分野】
【０００１】
本発明は写真等のシートをガラス板の間に挟んで立てるホルダーに関するものである。
【背景技術】
【０００２】
従来のホルダーは、図６に示すように、二枚のプラスチック板２０、２１の周縁部複数個所に同軸上に磁石２２を埋め込み、磁石の吸引力により両プラスチックの間に介在させたシート２３を保持する構成となっている（特許文献１参照）。
【０００３】
しかし、このホルダーには、なお、磁石が吸引力を越える厚みのあるシートは保持できないという問題点がある。
【特許文献１】特開平１１−１０４９９２号（特許第２８７９０３２号）公報
【発明の開示】
【発明が解決しようとする課題】
【０００４】
本発明は、上記問題点を解決することを課題とする。
【課題を解決するための手段】
【０００５】
上記課題を解決するために本発明が提供するホルダーは、次の（１）及び（２）に記載のものである。
（１）第１平板と第２平板とよりなり、両平板のうちの少なくとも第１平板は透明であり、第１平板には第１磁石、第２平板には第２磁石をそれぞれ取り付け、前記第１磁石と第２磁石は、それぞれ第１平板と第２平板の周縁部に複数対同軸上に設け、前記第１磁石は、第１平板に固定し、前記第２磁石は第２平板に設けた雌ねじ穴に螺合されて、軸方向へ移動可能な磁石ねじとなっていることを特徴とするホルダー（以下、第１ホルダーという）。
（２）第１平板と第２平板とよりなり、両平板のうちの少なくとも第１平板は透明であり、第１平板には第１磁石、第２平板には第２磁石をそれぞれ取り付け、前記第１磁石と第２磁石は、それぞれ第１平板と第２平板の周縁部に複数対同軸上に設け、前記第１磁石は、第１平板に固定し、前記第２磁石は第２平板に設けた穴に挿通され、その先端部において第１磁石に常時吸着状態に保持された頭部を設けた磁石棒であり、前記第２平板と前記頭部との間に介装したばね部材によって第２平板を第１平板側へばね付勢する構成としたことを特徴とするホルダー（以下、第２ホルダーという）。
【発明の効果】
【０００６】
本発明に係わる上記のホルダーによれば、所望の厚さのシートを保持できる。
【発明を実施するための最良の形態】
【０００７】
以下、この本発明の実施の形態を実施例によって図面を参照しながら説明する。
【実施例１】
【０００８】
図１、２は第1ホルダーの実施例（以下、実施例１という）である。
【０００９】
図１は実施例１の平面図、図２は図1のＡ−Ａ断面図である。
【００１０】
両図において、１は第1平板、２は第２平板で、いずれも長方形の透明ガラス板である。３は第1平板１の四隅に埋設した円柱状の第１磁石である。４は第２平板２の四隅に設けた雌ねじ穴５に螺合した第２磁石で、実施例１では磁石ねじである。４個の第１磁石３と４個の磁石ねじ４は同軸上に配置されている。磁石ねじ４は軸方向へ移動可能になっている。
【００１１】
実施例１のホルダーは、以上のような構成になっているので、写真６をホールドする場合は、次の要領で行う。
【００１２】
すなわち、写真６は第１平板１と第２平板２の間に挟む。ついで４個の第１磁石３と４個の磁石ねじ４の位置合わせをし、しかるのち、磁石ねじ４を廻して第１磁石３に突き当たったところで止める。
【００１３】
このようにすると、写真６は平板１、２の間に挟持され、位置決めされる。
【実施例２】
【００１４】
図３、４は第２ホルダーの実施例（以下、実施例２という）である。
【００１５】
図３は実施例２の平面図、図４は図３のＢ−Ｂ断面図である。
【００１６】
両図において、１１は第1平板、１２は第２平板で、いずれも長方形の透明ガラス板である。１３は第1平板１１の四隅に埋設した円柱状の第１磁石である。１４は第２平板１２の四隅に設けた貫通穴１５に挿通した磁石棒である。４個の第１磁石１３と４個の磁石棒１４は同軸上に配置されている。磁石棒１４の頭部１４aと第２平板１２との間にはコイルスプリング１６が介装されている。
【００１７】
このため、磁石棒１４が第１磁石１３に吸着された状態にあると、第２平板１２は第１平板１１側へ常時ばね付勢される構成になっている。
【００１８】
実施例２のホルダーは、上記のような構成となっているので、写真１７をホールドする場合は、次の要領で行う。
【００１９】
すなわち、第１、第２の」両板１１，１２の間に写真１７を挟み、磁石棒１４を第１磁石１３に押しあて、これに吸着させる。このようにすると、コイルスプリング１６によって、第２平板１２は第１平板１１に押圧され、写真１７は両板１１，１２の間に挟持される。
【００２０】
図５は、第１ホルダーの他の実施例（以下、実施例３という）を示す。
【００２１】
この実施例３のホルダーは、実施例１における磁石ねじ４を長くして、両平板を斜めに立ち上げた姿勢に保持するための支持脚２１とした例である。
【００２２】
実施例１、２では、第１、第２の両平板としてガラス板を使用したが、透明なものであればこれに限定されない。合成樹脂板でもクリスタル板でもよい。また、第１、第２平板として透明なものを使用したが、両方又は一方の平板だけを透明にしてもよい。
又、両平板は長方形にしたが、四角形、多角形、円形、楕円形など任意のものを選定できる。
【図面の簡単な説明】
【００２３】
【図１】実施例１のホルダーの平面図
【図２】図１のＡ−Ａ断面拡大図
【図３】実施例２のホルダーの平面図
【図４】図３のＢ−Ｂ断面拡大図
【図５】実施例３のホルダーの断面図
【図６】従来のホルダーの斜視図
【符号の説明】
【００２４】
１    第１平板
２    第２平板
３    第１磁石
４    第２磁石（磁石ねじ）
５    雌ねじ穴
６    写真
１１  第１平板
１２  第２平板
１３  第１磁石
１４  磁石棒
１４a頭部
１５  貫通穴
１６  コイルスプリング
１７  写真
２１  支持脚
【図１】
2010125655.tif 000003
【図２】
2010125655.tif 000004
【図３】
2010125655.tif 000005
【図４】
2010125655.tif 000006
【図５】
2010125655.tif 000007
【図６】
2010125655.tif 000008